(57)【要約】      （修正有）【課題】ベッドサイド等で装置を移動させる際に電源コードが邪魔にならない床置き式のレーザ装置を提供する。【解決手段】本体に搭載した電池２と、少なくとも前記電池から供給される電源によりレーザ発振するレーザ発振器１１と、前記レーザ発振器から出力するレーザ光の出力を制御するレーザ制御部と、前記レーザ制御部によって制御されて出力するレーザ光を患者患部に入射するよう導くレーザ光導波管とを備えた医療用レーザ装置であって、前記電池は本体底部に取り付けた電池収納部に収納したレーザ装置。【選択図】図１
2007105157.tif 000002
【特許請求の範囲】
【請求項１】
本体に搭載した電池と、少なくとも前記電池から供給される電源によりレーザ発振するレーザ発振器と、前記レーザ発振器から出力するレーザ光の出力を制御するレーザ制御部と、前記レーザ制御部によって制御されて出力するレーザ光を患者患部に入射するよう導くレーザ光導光手段とを備えた医療用レーザ装置であって、前記電池は本体底部または本体底部近傍に設置された電池収納部に収納されているレーザ装置。
【請求項２】
本体を床置きする際に前記本体を支える本体支え部を備え、電池は前記本体支え部によって形成される床面と前記本体底部との空間に前記本体底部に設置された電池収納部に収納した請求項１記載のレーザ装置。
【請求項３】
本体底部近傍は本体支え部に本体を略水平方向に移動可能にする複数のキャスタを備え、電池収納部は前記キャスタ間の空間に設置されていることを特徴とする請求項２記載のレーザ装置。
【請求項４】
本体支え部によって形成される床面と電池収納部の底面との間に前記電池収納部内の電池取り出しのために手が入る空間を設けた請求項２または３記載のレーザ装置。
【請求項５】
電池収納部に収納した電池はスライドして取り出せる構造とした請求項１から４のいずれかに記載のレーザ装置。
【発明の詳細な説明】
【技術分野】
【０００１】
本発明は、レーザ光源の電力供給源として電池を備えたレーザ装置に関する。
【背景技術】
【０００２】
近年、医科や歯科分野において、患部組織の切開、蒸散、止血、凝固を目的とした数Ｗ〜数１０Ｗクラスのレーザ手術装置が広く用いられているようになっている。
【０００３】
従来の医療用レーザ装置について図面を用いて説明する。図３は、従来の医療用レーザ装置の概略構成を示す斜視図である。点線は医療用レーザ装置の内蔵物を示す。
【０００４】
図３に示すように、従来の医療用レーザ装置は、商用電源より電力を入力する電源部１０１、レーザ発振器１０２、制御部１０3、操作・表示部１０４、レーザ光導光部１０５、本体ボディ１０６、ベース部１０７およびキャスタ１０８を設けている。
【０００５】
電源部１０１は交流１００Ｖの商用電源を直流に変換し、装置内部各ブロックへ給電する。操作・表示部１０４は、使用者がレーザ光出力や照射パターン等の照射条件や照射開始／停止を入力指示するためのインターフェースである。操作部１０４から入力された情報は、制御部１０３へ出力される。操作・制御部１０４の一部はフットペダル（図示せず）からなり、使用者が照射条件を設定し、照射待機状態にした後このフットペダルを踏むことでレーザ照射指令が発出される。
【０００６】
制御部１０３は、使用者が操作・表示部１０４を用いて設定した照射条件でレーザ光照射されるよう、レーザ発信器１０２へ信号送出する。また制御部１０３は、操作・表示部１０４から入力され受け付けた情報を操作・表示部１０４に表示させる。操作・表示部１０４は本体装置上部のフロントパネルに備えられ、設定された照射条件や現在の照射状態をＬＥＤ等で示す。
【０００７】
レーザ発振器１０２は、例えばＲＦ発振型の金属製封じ切り１０Ｗ出力炭酸ガスレーザ管（レーザ波長１０．６μｍ）であり、制御部１０３から送出されたパルス信号のデューティに応じてレーザ出力が調整される。レーザ光導光部１０５は、レーザ発振器１０２から出射されたレーザ光を術野まで効率よく導く光ファイバープローブである。
【０００８】
これらを収納・搭載した筐体１０６はベース部１０７上に構成され、ベース部１０７に設けられたキャスタ１０８により、本装置全体が床面上を移動できるように構成されている。
【０００９】
上述の図３に示したように、従来の医療用レーザ装置においては、電力の供給は、壁面等に設けられた商用電源コンセントに電源コードを接続して行われている。
【００１０】
疼痛を緩和させる目的の微弱出力半導体レーザを用いた低消費電力型レーザ治療器では、電池を電源として搭載することも提案されていた（例えば、特許文献１参照）。しかしながら一方、患部組織の切開、蒸散、止血、凝固を目的とし数Ｗ以上のレーザ光出力を必要とするレーザ手術装置では、これまで全て商用電源を電力供給源としてきた。特にレーザの媒質として炭酸ガスを用いた炭酸ガスレーザ手術装置の場合、発振管を構成する共振器長が長いので、床置き式の縦長筐体となり、台座部の底面に取り付けられたキャスタで移動するといったデザインとなることが多い。これを、患者診療台ないし診療チェアーが数台並んでいる開業医院や歯科医院の場合、１人の医師が複数の患者治療を時分割にかけもちで行う。このような状況下でこの種の医療用レーザ装置を用いる場合、医師は個々の患者診療台ないし診察チェアーの近傍まで装置をその都度引きずり回した後に装置電源を再投入し、患者治療に供してきた。このような使用実態と、近年の大容量の２次電池（例えばニッケル水素電池やリチウムイオン電池）の実用化をふまえ、従来は商用電源を電力供給源としてきた床置き式のレーザ装置を電池で駆動することが実用的に可能となってきた。
【特許文献１】特開昭５８−８９２４３号公報（第２頁左上欄、第２図）
【発明の開示】
【発明が解決しようとする課題】
【００１１】
しかしながら床置き式のレーザ装置の場合、装置の安定性確保のため、十分な転倒角を実現する必要がある。従来のレーザ装置の場合、レーザ発振器や電源関連部材が比較的質量の重い構成部品であり、これらはなるべく低い位置に設置されることが望ましい。ここで、レーザ光導光部の操作性を重視すると、これは比較的上部に設置される。これに合わせてレーザ発振器は筐体内の比較的上方に設置されることが多い。また、スペースの限られた診療室内での設置占有面積を小さくするため、装置形状はできるだけ細くすることが望ましい。これらの項目はいずれも、転倒角が小さくなるように作用するため、筐体形状や重量物の配置を十分に検討する必要がある。この構成に電池を加える場合、電池も比較的質量の重い部材であるため、その設置位置や形状については十分に配慮する必要がある。
【００１２】
本発明は前記課題を解決するもので、安定性を向上させる医療用レーザ装置を提供することを目的とする。
【課題を解決するための手段】
【００１３】
前記従来の課題を解決するために本発明の医療用レーザ装置は本体に搭載した電池と、少なくとも前記電池から供給される電源によりレーザ発振するレーザ発振器と、前記レーザ発振器から出力するレーザ光の出力を制御するレーザ制御部と、前記レーザ制御部によって制御されて出力するレーザ光を患者患部に入射するよう導くレーザ光導光手段とを備えた医療用レーザ装置であって、前記電池は本体底部または本体底部近傍に取り付けたことにより、安定性が向上する。
【発明の効果】
【００１４】
以上の特徴により、本発明にかかる医療用レーザ装置は重心の位置が本体の下部にあることが可能となり、安定性が向上する。
【発明を実施するための最良の形態】
【００１５】
以下本発明を実施するための最良の形態について図面を参照しながら説明する。
【００１６】
（実施の形態１）
図1は本発明の電池を搭載した医療用レーザ装置の概略構成を示す斜視図である。点線は医療用レーザ装置の内蔵物を示す。
【００１７】
筐体３１に搭載した電池２と、前記電池から供給される電力によりレーザ発振する炭酸ガスレーザ発振器１１と、前記レーザ発振器から出力するレーザ光の出力を制御するレーザ制御機能を備えた制御基板３６と、前記レーザ制御部によって制御されて出力するレーザ光を患者患部に入射するよう導くプローブ１２と、前記電池を収納する電池収納部４１と、本体を床置きする際に前記本体を支えるキャスタ３４と、本体全体の電力を供給したり電池の充電を管理するする電源制御部２１からなる。また電池収納部４１は、さらに詳しくは電池収納部蓋４２および電池ケース４３から成っている。
【００１８】
図1に記載の医療用レーザ装置の動作を以下に説明する。
【００１９】
本レーザ装置1は、従来の医療用レーザ装置同様、一般の商用電源（ＡＣ１００Ｖ）で動作するのに加え、内蔵の電池2だけでも動作できるようになっている。本体が電源ケーブル（図示せず）で商用電源に接続されている場合、電源制御部２１が制御基板３６やレーザ管１１などに必要な電力を供給して、レーザ装置全体が動作する。また、このとき必要であれば、電源制御部２１から電池２に充電電流が供給・充電される。また、商用電源が供給されていない場合は、電池２から電源制御部２１に電力が供給され、レーザ装置全体を動作させる。このように構成されたレーザ装置において、電池２は、本体装置底部のキャスタ３４により形成された空間に設けられた電池収納部４１内に設置されている。
【００２０】
ここで、本レーザ装置全体の質量は約３０ｋｇのうち電池２の質量は約４．５ｋｇであり、約１５%の割合を占める。よって、この電池２の設置場所はレーザ装置全体の重心の位置に大きな影響を及ぼす。特に床置き式の医療用レーザ装置の場合、先の従来例で述べたとおり、他の主な重量物のうちレーザ発振器１１はレーザ装置の中の比較的上部に設置されるため、全体の重心が比較的高い位置になり、電池２の設置箇所がレーザ装置全体の重心位置に及ぼす影響は非常に大きい。
【００２１】
そこで本実施例では、電池２を本体内の底部もしくはその近傍に設置することで、レーザ装置全体の重心位置をより下方に下げることができ、転倒角が向上した。ここで、本体底部近傍とは、少なくとも電源制御部２１の重心よりも下方であり、できれば電源制御部２１よりも下方であることが望ましい。なお、電源制御部２１の中央より下部に接触するように電池２があってもよい。
【００２２】
さらに、図1で説明したように、本体底部近傍は本体支え部に本体を略水平方向に移動可能にする複数のキャスタを備え、電池収納部は前記キャスタ間の空間に設置されている。このことにより、医療用レーザ装置の重心がさらに低くなり、安定性がより向上する。
【００２３】
（実施の形態２）
図２では電池収納部４１と底面と電池の配置について図示した。本実施の形態と直接関係のある底部を実線で、その周囲は点線で示した。
【００２４】
電池収納部４１の蓋４２を取り外すと、中に電池ケース４３がある。電池２はこの電池ケース４３の中に予め収納されている。この図に示すとおり、キャスタ３４によって形成される床面と電池収納部４１の底面との間に前記電池収納部内の電池取り出しのために手が入る空間が確保できる。このことにより、電池の扱いが容易になり、電池の取り外し性能が向上した。さらに本図に示すとおり、電池収納部に収納した電池は横方向にスライドして取り出せる構造することにより、上記効果がさらに期待できる。
【００２５】
（実施の形態３）
なお、上記のような構成とすることにより、以下の効果も得られる。
【００２６】
電池が故障した際に漏れ出る電解液は、特にアルミと反応しガス等を発生しやすい。主な発熱源となるレーザ管１１や電源制御部２１には放熱性を良くするためアルミが使用されているが、電池をこれらアルミ使用部材よりも下方に設置することで、万一の電池故障時にも思わぬガス発生を招くリスクを低減できる。特に最底部、とりわけ底面よりも下に設置することで、このリスクはきわめて低くなる。
【００２７】
また、電池２をそのまま電池収納部４１に入れるのではなく、一度電池を鋼板製の電池ケース４３に入れ、この電池ケース４３ごと電池収納部４１から出し入れをする。これにより、まず第１に電池２の外装の傷・破れを防止できる。第２に、電池交換時に電池に加わる衝撃を緩和することができる。第３に、外形寸法がばらつく電池２を外形寸法の決まった電池ケース４３へ収納・固定することで、電池収納部４１内での電池の遊びを低減することができる。第４に、電池ケースを鋼板など電池電解液と反応性の無い金属で形成することで、電池の温度ムラを改善することができる。これは、レーザ高出力の安定化にも繋がる。
【産業上の利用可能性】
【００２８】
本発明は、転倒角が向上するため、操作者における利便性が向上されたレーザ装置として、産業上の利用可能性を有している。
【図面の簡単な説明】
【００２９】
【図１】本発明の実施の形態１にかかるレーザ装置の概略構成を示す斜視図
【図２】本発明の実施の形態２にかかる電池収納部を示す斜視図
【図３】従来の医療用レーザ装置を示す斜視図
【符号の説明】
【００３０】
１    本体装置
２    電池
１１    レーザ光源
１２    プローブ
３１    本体ボディ
３２    操作パネル部
３３    台座部
３４    キャスタ
３５    フットペダル
３６    制御基板
３７    レーザ管
２１    電源制御部
４１    電池収納部
４２    電池収納部蓋
４３    電池ケース
【図１】
2007105157.tif 000003
【図２】
2007105157.tif 000004
【図３】
2007105157.tif 000005